(57)【要約】【課題】加硫機本体と、シェーピングユニットを備えたタイヤ加硫装置において、グリーンタイヤをシェーピングユニットでシェーピングする際に、グリーンタイヤをシェーピングユニットに精度よく装着させると共に、精度よくシェーピングさせ、かつシェーピングユニットを加硫機本体のコンテナに納める際に、グリーンタイヤの下側ビード部が加硫機本体の下部コンテナに精度よく納まるようにセットできるタイヤ加硫装置の提供。【解決手段】加硫機本体Ａと、シェーピングユニットＢを備えたタイヤ加硫装置において、グリーンタイヤＣの下側ビード部Ｃ１を支持する下部ビード支持リング２３を加硫機本体の下部コンテナ２２に設けた。【選択図】図1
2007098801.tif 000002
【特許請求の範囲】
【請求項１】
ボルスタプレートに取り付けられた上部コンテナ及びボトムプレートに取り付けられた下部コンテナとを有する加硫機本体と、
前記加硫機本体の外部でグリーンタイヤを装着させ、そのグリーンタイヤを装着した状態で前記加硫機本体にセットされるシェーピングユニットを備え、
前記シェーピングユニットは、拡縮可能な筒状ゴムによるブラダーと、このブラダーの上端部を固定する上部クランプリングと、ブラダーの下端部を固定する下部クランプリングと、前記ブラダーの内部に加圧流体を供給／排出させるための流体ポートを備え、
前記上部クランプリングと下部クランプリングは、その対向間隔を離反させて前記ブラダーの外径がグリーンタイヤの内径よりも小径になるようにしたブラダー伸長位置と、その対向間隔を近接させて前記ブラダーの外周面を前記グリーンタイヤの内周面に密着させるようにしたシェーピング位置に位置決めできるように近接離反可能に支持され、
前記流体ポートからブラダーの内部に流体を供給させると共に前記上部クランプリングと下部クランプリングをシェーピング位置に位置決めさせることでブラダーの外周面を前記グリーンタイヤの内周面に密着させたシェーピング状態で前記シェーピングユニットを加硫機本体にセットさせるようにしたタイヤ加硫装置において、
前記加硫機本体の下部コンテナに下部ビード支持リングが設けられ、この下部ビード支持リングに、シェーピングユニットをシェーピング状態で加硫機本体にセットさせたときに、グリーンタイヤの下側ビード部の内周に嵌合する嵌合部が形成されていることを特徴とするタイヤ加硫装置。
【請求項２】
前記加硫機本体の上部コンテナに上部ビード支持リングが設けられ、この上部ビード支持リングに、シェーピングユニットをシェーピング状態で加硫機本体にセットさせたときに、グリーンタイヤの上側ビード部の内周に嵌合する嵌合部が形成されている請求項１記載のタイヤ加硫装置。
【発明の詳細な説明】
【技術分野】
【０００１】
本発明は、シェーピングユニットを用いて加硫機本体の外部でグリーンタイヤをシェーピングさせ、このシェーピングユニットを加硫機本体にセットさせた状態でグリーンタイヤを加硫成形させるようにしたタイヤ加硫装置に関する。
【背景技術】
【０００２】
従前のタイヤ加硫方法は、加硫機の中心機構にグリーンタイヤそのものをセットさせ、その状態で中心機構のブラダー内に加圧流体を供給させることでブラダーを膨張させ、これによりグリーンタイヤの内周面にブラダーの外周面を密着させてグリーンタイヤをシェーピングさせる。
次に、加硫機のコンテナでグリーンタイヤを抱持させたのち、ブラダー内に高温高圧の流体を供給させてグリーンタイヤの内周面をブラダーで押し付け、ブラダーやコンテナからの熱によって加硫成形させるようになっている。
【０００３】
しかしながら、このような従前のタイヤ加硫方法にあっては、グリーンタイヤを加硫機の中心機構にセットしてシェーピングさせるため、加硫の前処理時間が長くなり、作業能率が低下してしまうという問題点がある。
【０００４】
そこで、従来、シェーピングユニットを用いて加硫機本体の外部でグリーンタイヤをシェーピングさせ、このシェーピングユニットを加硫機本体にセットさせた状態でグリーンタイヤを加硫成形させるようにしたタイヤ加硫装置が提案されている（特許文献１参照）。
この従来のタイヤ加硫装置は、外段取り、即ちグリーンタイヤを加硫機本体の外部で装着させると共に、そのグリーンタイヤをシェーピングさせるためのシェーピングユニットを備えたものである。
このように、シェーピングユニットを用いると、加硫機本体の外部でシェーピングを行ない、これを加硫機本体にセットさせれば、直ちに加硫作業を開始することができ、これにより、作業能率を向上させることができるという利点がある。
【０００５】
ところで、性能の高いタイヤを製造するには、グリーンタイヤを精度よく成形する必要があるのは勿論であるが、そのグリーンタイヤを位置及び向きにズレがなく、加硫機本体のコンテナに精度よく納まるようにセットすることが重要である。
このため、グリーンタイヤをシェーピングユニットでシェーピングする際には、グリーンタイヤをシェーピングユニットに精度よく装着させると共に、精度よくシェーピングさせて、シェーピングユニットを加硫機本体のコンテナに納める際に、グリーンタイヤの下側ビード部が加硫機本体の下部コンテナに精度よく納まるようにセットする必要がある。
【０００６】
この点に関し、従来のタイヤ加硫装置は、シェーピングユニットの構成部材である下部クランプリングの外周部にグリーンタイヤの下側ビード部を支持するためのビード支持部が形成されている。
このように、下部クランプリングにビード支持部を形成させると、シェーピングユニットにグリーンタイヤを装着させる場合、グリーンタイヤが変形し易いこともあって下側ビード部がビード支持部に装着される際のズレ対策が十分ではないといえる。
【０００７】
又、上部クランプリングの外径は、グリーンタイヤを装着させるためにグリーンタイヤの内径よりも小径に形成する必要があるもので、このため従来では、グリーンタイヤを装着させた後、上部クランプリングの外周にビード支持部材を取り付けるようにしている。
このように、上部クランプリングの外周にビード支持部材を取り付けるようにすると、その着脱構造が必要になってしまう。
また、グリーンタイヤを装着させる際は、上部クランプリングにビード支持部材が取り付けられていないため、下側ビード部のみが下部クランプリングのビード支持部に支持される状態になる。このため下側ビード部と上側ビード部とでは支持状態に差が生じ易くなり、グリーンタイヤの十分な装着精度が得られにくくなる。
【特許文献１】特開２００２−１７８３３３号公報
【発明の開示】
【発明が解決しようとする課題】
【０００８】
本発明は、上記の問題を解決するためになされたもので、加硫機本体と、シェーピングユニットを備えたタイヤ加硫装置において、グリーンタイヤをシェーピングユニットでシェーピングする際に、グリーンタイヤをシェーピングユニットに精度よく装着させると共に、精度よくシェーピングさせ、かつシェーピングユニットを加硫機本体のコンテナに納める際に、グリーンタイヤの下側ビード部が加硫機本体の下部コンテナに精度よく納まるようにセットできるタイヤ加硫装置を提供することを課題としている。
【課題を解決するための手段】
【０００９】
上記の課題を解決するために、本発明（請求項１）のタイヤ加硫装置は、
ボルスタプレートに取り付けられた上部コンテナ及びボトムプレートに取り付けられた下部コンテナとを有する加硫機本体と、
前記加硫機本体の外部でグリーンタイヤを装着させ、そのグリーンタイヤを装着した状態で前記加硫機本体にセットされるシェーピングユニットを備え、
前記シェーピングユニットは、拡縮可能な筒状ゴムによるブラダーと、このブラダーの上端部を固定する上部クランプリングと、ブラダーの下端部を固定する下部クランプリングと、前記ブラダーの内部に加圧流体を供給／排出させるための流体ポートを備え、
前記上部クランプリングと下部クランプリングは、その対向間隔を離反させて前記ブラダーの外径がグリーンタイヤの内径よりも小径になるようにしたブラダー伸長位置と、その対向間隔を近接させて前記ブラダーの外周面を前記グリーンタイヤの内周面に密着させるようにしたシェーピング位置に位置決めできるように近接離反可能に支持され、
前記流体ポートからブラダーの内部に流体を供給させると共に前記上部クランプリングと下部クランプリングをシェーピング位置に位置決めさせることでブラダーの外周面を前記グリーンタイヤの内周面に密着させたシェーピング状態で前記シェーピングユニットを加硫機本体にセットさせるようにしたタイヤ加硫装置において、
前記加硫機本体の下部コンテナに下部ビード支持リングが設けられ、この下部ビード支持リングに、シェーピングユニットをシェーピング状態で加硫機本体にセットさせたときに、グリーンタイヤの下側ビード部の内周に嵌合する嵌合部が形成されている構成とした。
【００１０】
また、本発明（請求項２）のタイヤ加硫装置は、
前記請求項１記載のタイヤ加硫装置において、加硫機本体の上部コンテナに上部ビード支持リングが設けられ、この上部ビード支持リングに、シェーピングユニットをシェーピング状態で加硫機本体にセットさせたときに、グリーンタイヤの上側ビード部の内周に嵌合する嵌合部が形成されている構成とした。
【発明の効果】
【００１１】
本発明のタイヤ加硫装置は、加硫機本体と、シェーピングユニットを備えたタイヤ加硫装置において、グリーンタイヤの下側ビード部を支持する下部ビード支持リングを加硫機本体の下部コンテナに設けた構成に特徴がある（請求項１）。
即ち、従来とは異なり、下部クランプリングの外周部にグリーンタイヤの下側ビード部を支持するためのビード支持部が形成されていない。
このように、シェーピングユニットにおいてグリーンタイヤの下側ビード部を支持しない構成であるため、グリーンタイヤをシェーピングユニットに装着させる際に、下側ビード部が支えられることがない。
【００１２】
従って、下側ビード部を支えることによって生じる下側ビード部の変形がないため、ズレを生じることなくグリーンタイヤをシェーピングユニットに装着させることができるし、シェーピングさせることができる。
そして、シェーピングユニットを加硫機本体にセットする際に、グリーンタイヤの下側ビード部が下部コンテナに設けた下部ビード支持リングに支持され、かつ下側ビード部の内周に嵌合部が嵌合するため、下側ビード部の位置及び向きにズレがない状態で精度よく納まるようにセットすることができる。
【００１３】
又、加硫機本体の上部コンテナに上部ビード支持リングを設け、この上部ビード支持リングにグリーンタイヤの上側ビード部の内周に嵌合する嵌合部を形成させている（請求項２）。
これにより、シェーピングユニットを加硫機本体にセットする際に、グリーンタイヤの上側ビード部が上部コンテナに設けた上部ビード支持リングで支持させ、かつ上側ビード部の内周に嵌合部が嵌合するため、上側ビード部の位置及び向きにズレがない状態で精度よく納まるようにセットすることができる。
また、下側ビード部と上側ビード部とで支持状態が同じになるため、従来と異なり、下側ビード部と上側ビード部とで支持状態が異なることを原因としたグリーンタイヤの装着ズレをなくすことができる。
【発明を実施するための最良の形態】
【００１４】
図１〜図４は本発明のタイヤ加硫装置を用いた加硫方法を説明するための工程図、図５〜図７はシェーピングユニットの動作を説明するための工程図である。
【００１５】
本実施例のタイヤ加硫装置は、加硫機本体Ａと、シェーピングユニットＢを備えている。
【００１６】
前記加硫機本体Ａは、図１に示すように、ボルスタプレート１にインシュレータボルスタ１０及びボルスタプラテン１１を介して取り付けられた上部コンテナ１２と、ボトムプレート２にインシュレータボトム２０及びボトムプラテン２１を介して取り付けられた下部コンテナ２２とを有し、前記ボルスタプレート１とボトムプレート２は垂直方向に相対移動するように支持されている。
実施例では、ボトムプレート２は固定され、ボルスタプレート１は図示省略した本体シリンダにより上昇位置（図１、図２、図４で示す位置）と下降位置（図３で示す位置）との間を昇降するようになっている。
【００１７】
前記上部コンテナ１２は、ボルスタプレート１に昇降シリンダ１３が取り付けられ、この昇降シリンダ１３に複数に分割されたセグメントモールド１４が取り付けられ、前記昇降シリンダ１３による昇降に伴ない、セグメントモールド１４が拡縮ガイド１５に沿って拡大位置（図１、図２で示す位置）と、縮小位置（図３、図４で示す位置）との間を放射方向に拡縮するように形成されている。
【００１８】
前記下部コンテナ２２は、前記セグメントモールド１４との間でシェーピングユニットＢを保持するようにボトムプレート２に取り付けられ、その上端に下部ビード支持リング２３が設けられている。
【００１９】
この下部ビード支持リング２３には、後述するように、シェーピングユニットＢをシェーピング状態で加硫機本体Ａにセットさせたときに、グリーンタイヤＣの下側ビード部Ｃ１の内周に嵌合する嵌合部２４が外周部に形成されている。
【００２０】
又、前記上部コンテナ１２にも上部ビード支持リング１６が設けられ、この上部ビード支持リング１６に、シェーピングユニットＢをシェーピング状態で加硫機本体Ａにセットさせたときに、グリーンタイヤＣの上側ビード部Ｃ２の内周に嵌合する嵌合部１７が形成されている。
【００２１】
前記下部コンテナ２２の中心には、中心機構３が設けられ、この中心機構３には、シリンダ３０により昇降する支持台３１と、この支持台３１上にシェーピングユニットＢを固定させるためのクランプロッド３２と、シェーピングユニットＢの流体ポート７に連通する流体流路３３と、後述する係止爪５３を押えて上側軸５１の外周面から突出しない位置に退入させるためのロック解除筒３４と、このロック解除筒３４を昇降させるシリンダ３５と、が設けられている。
【００２２】
前記シェーピングユニットＢは、前記加硫機本体Ａの外部でグリーンタイヤＣが装着され、そのグリーンタイヤＣを装着した状態で前記加硫機本体Ａにセットされるものである。
【００２３】
このシェーピングユニットＢは、図５に示すように、拡縮可能な筒状ゴムによるブラダー４と、このブラダー４の上端部を固定する上部クランプリング５と、ブラダー４の下端部を固定する下部クランプリング６と、前記ブラダー４の内部に加圧流体を供給／排出させるための流体ポート７を備えている。
【００２４】
前記上部クランプリング５は外周にブラダー固定部５０が形成され、下面中央に上側軸５１が垂設されている。
前記下部クランプリング６は外周にブラダー固定部６０が形成され、上面中央に下側筒軸６１が立設されている。
そして、この下側筒軸６１内に前記上側軸５１が摺動可能に嵌合されることで、上部クランプリング５と下部クランプリング６が近接離反可能に支持されている。
【００２５】
又、上部クランプリング５と下部クランプリング６は、その対向間隔を離反させて前記ブラダー４の外径がグリーンタイヤＣの内径よりも小径になるようにしたブラダー伸長位置（図５に示す位置）に係止される。
この場合、下側筒軸６１の内面上端部に形成した段部６２に、上側軸５１の外周面に形成した段部５２が係合することでブラダー伸長位置に係止される。
【００２６】
又、上部クランプリング５と下部クランプリング６は、その対向間隔を近接させて前記ブラダー４の外周面をグリーンタイヤＣの内周面に密着させるようにしたシェーピング位置（図６に示す位置）に位置決めできるように係止される。
この場合、上側軸５１に取り付けた係止爪５３が、上側軸５１の外周面から突出する係合位置（図６に示す位置）と、上側軸５１の外周面から突出しない格納位置（図５、図７に示す位置）との間を進退するように形成され、一方、下側筒軸６１の内面下端部に段部６３が形成され、この段部６３に前記係止爪５３が係合することでシェーピング位置に係止される。
【００２７】
又、上部クランプリング５と下部クランプリング６は、加硫成形に際しては、その対向間隔を前記シェーピング位置よりもさらに近接させた加硫位置（図７に示す位置）に保持されるようになっている。
【００２８】
前記係止爪５３は常時は係合位置に突出するようにスプリング５４により付勢され、この係止爪５３が、図５のように下側筒軸６１の内部に位置しているときは係止爪５３が下側筒軸６１により押し込まれて格納位置に退入され、上側軸５１と下側筒軸６１との摺動が可能になる。
即ち、前記係止爪５３は上部クランプリング５と下部クランプリング６の近接離反動作に伴なう上側軸５１と下側筒軸６１との摺動を利用して格納位置から係合位置に進出するもので、その作動に特段の係合機構を必要としないため、構造を簡単にしながら確実にシェーピングユニットＢをシェーピング位置に位置決めさせることができる。
なお、前記上部クランプリング５と下部クランプリング６は、上側軸及び下側筒軸に装着したスプリング５５により、常時は離反方向に付勢され、これにより上部クランプリング５と下部クランプリング６との位置が安定し易くなるが、このスプリング５５は必ずしも必要でない。
【００２９】
前記流体ポート７は、前記下部クランプリング６（上部クランプリングでもよい）に１ヶ所以上に設けられ、内圧の漏れを防止するためのチェッキ弁７０が組み込まれており、外部からの解除がなければ、内部の加圧流体を排出することができない構造になっている。
【００３０】
従って、加硫に際しては、まず、シェーピングユニットＢにグリーンタイヤＣを装着させるもので、このとき、シェーピングユニットＢは、図５に示すように、上部クランプリング５と下部クランプリング６を離反させて段部５２と段部６２の係合によりブラダー４の外径がグリーンタイヤＣの内径よりも小径になるようにしたブラダー伸長位置に係止される。
【００３１】
次に、シェーピングユニットＢを、このブラダー伸長位置に保持させた状態で、グリーンタイヤＣをブラダー４の外周に嵌め込む。
そして、流体ポート７から加圧流体を供給させると共に、前記上部クランプリング５と下部クランプリング６を近接させて係止爪５３と段部６３との係合によりシェーピング位置に位置決めさせる。
これにより、図６に示すように、ブラダー４の外周面をグリーンタイヤＣの内周面に密着させるものである（これをシェーピングという）。
【００３２】
このようにしてシェーピングされるグリーンタイヤＣは、その下側ビード部Ｃ１が支持されていないため、この下側ビード部Ｃ１を支えることによって生じる変形がない。
したがって、位置及び向きにズレが生じることがない。
【００３３】
次に、上記のようにしてグリーンタイヤＣをシェーピングユニットＢによりシェーピングした後、このシェーピングユニットＢを加硫機本体Ａにセットさせ、この加硫機本体ＡでグリーンタイヤＣを加硫成形させるものである。
なお、シェーピングユニットＢは、グリーンタイヤＣを装着させる作業位置（図示省略）から加硫機本体Ａまで移送させることになるが、この際、移送装置に設けたクランプを上部クランプリング５のクランプ溝５６にロックさせる。
【００３４】
この場合、加硫機本体Ａにおけるボルスタプレート１は、図１に示すように、上昇位置に保持され、又、上部コンテナ１２は拡大位置に保持させておく。
この状態で、シェーピングユニットＢを中心機構３の支持台３１上に載せ、下部クランプリング６のクランプ溝６４にクランプロッド３２をロックさせる。
この状態では、グリーンタイヤＣの下側ビード部Ｃ１は下部ビード支持リング２３によって支持されておらず、浮き状態にある。
【００３５】
そして、次に、中心機構３の支持台３１を降下させ、図２に示すように、下部ビード支持リング２３でグリーンタイヤＣの下側ビード部Ｃ１を支持させると共に、下側ビード部Ｃ１の内周に嵌合部２４が嵌合する状態にシェーピングユニットＢをセットさせる。
このように、シェーピングユニットＢを加硫機本体Ａにセットする際に、グリーンタイヤＣの下側ビード部Ｃ１が下部ビード支持リング２３に支持され、かつ下側ビード部Ｃ１の内周に嵌合部２４が嵌合するため、下側ビード部の位置及び向きにズレがない状態で精度よく納まるようにセットすることができる。
【００３６】
上記のようにしてシェーピングユニットＢを加硫機本体Ａの下部コンテナ２２にセットしたのち、図３に示すように、加硫機本体Ａにおけるボルスタプレート１を下降位置に下降させると共に、上部コンテナ１２を縮小位置に縮小させる。
これにより上部コンテナ１２と下部コンテナ２２とでシェーピングユニットＢを抱持させるもので、このとき、シェーピングユニットＢは、上部クランプリング５と下部クランプリング６の対向間隔を前記シェーピング位置よりもさらに近接させた加硫位置（図３、図７に示す位置）保持される。
【００３７】
このとき、上部ビード支持リング１６でグリーンタイヤＣの上側ビード部Ｃ２が支持されると共に、上側ビード部Ｃ２の内周に嵌合部１７が嵌合する状態にシェーピングユニットＢがセットされる。
【００３８】
なお、この加硫位置では、前記係止爪５３の段部６３に対する係合が解除されるが、シェーピングユニットＢは上部コンテナ１２と下部コンテナ２２とで抱持されているため問題はない。
【００３９】
そして、流体流路３３を通して流体ポート７から高温高圧の流体をブラダー４の内部に供給させると共に、コンテナ１２，２２からの熱によってグリーンタイヤＣを加硫成形させるようになっている。
【００４０】
なお、上記のようにしてグリーンタイヤＣを加硫成形させた後は、図４に示すように、上部コンテナ１２を縮小させたままで、シェーピングユニットＢの流体ポート７を開放させて内圧を解除させる。
その後、ロック解除筒３４をシリンダ３５により上昇させて、係止爪５３の段部６３に対する係合を解除させ、その後、シェーピングユニットＢを伸長位置に離反させると共に、ボルスタプレート１を上昇位置に上昇させる。
このとき、加硫後タイヤＣ３は上部コンテナ１２に保持されたまま上昇し、以後は、図示省略したタイヤ取出装置によって加硫後タイヤＣ３を上部コンテナ１２から取り外し、図示省略した冷却装置に搬送させるようになっている。
【００４１】
又、シェーピングユニットＢは、中心機構３の支持台３１を上昇させた状態でクランプロッド３２によるロックを解除させて取り外し、これを冷却させるか、或いはそのままグリーンタイヤＣを装着させる作業位置に搬送させるようになっている。
【００４２】
又、図８はグリーンタイヤＣを加硫成形させた後の工程の他例を示している。
この工程では、上部コンテナ１２を縮小させたままで、シェーピングユニットＢの流体ポート７を開放させて内圧を解除させ、次に、上部コンテナ１２を拡大させる共に、ボルスタプレート１を上昇位置に上昇させる。
このとき、シェーピングユニットＢは加硫位置からシェーピング位置に戻り、加硫後タイヤＣ３はブラダー４に保持されたままである。
【００４３】
その後、中心機構３の支持台３１を上昇させた状態でクランプロッド３２によるロックを解除させてシェーピングユニットＢを取り外し、そのシェーピングユニットＢから加硫後タイヤＣ３を取り外して、冷却装置に搬送させるようになっている。
加硫後タイヤＣ３を取り外したシェーピングユニットＢは、これを冷却させるか、或いはそのままグリーンタイヤＣを装着させる作業位置に搬送させるようにする。
或いは、加硫後タイヤＣ３を装着したままのシェーピングユニットＢを冷却させ、その後、シェーピングユニットＢから加硫後タイヤＣ３を取り外し、加硫後タイヤＣ３を取り外したシェーピングユニットＢは、これを更に冷却させるか、或いはそのままグリーンタイヤＣを装着させる作業位置に搬送させるようにする。
【図面の簡単な説明】
【００４４】
【図１】本発明のタイヤ加硫装置を用いた加硫方法を説明するための工程図である。
【図２】本発明のタイヤ加硫装置を用いた加硫方法を説明するための工程図である。
【図３】本発明のタイヤ加硫装置を用いた加硫方法を説明するための工程図である。
【図４】本発明のタイヤ加硫装置を用いた加硫方法を説明するための工程図である。
【図５】シェーピングユニットの動作を説明するための工程図である。
【図６】シェーピングユニットの動作を説明するための工程図である。
【図７】シェーピングユニットの動作を説明するための工程図である。
【図８】シェーピングユニットの動作を説明するための他例を示す工程図である。
【符号の説明】
【００４５】
１  ボルスタプレート
１０  インシュレータボルスタ
１１  ボルスタプラテン
１２  上部コンテナ
１３  昇降シリンダ
１４  セグメントモールド
１５  拡縮ガイド
１６  上部ビード支持リング
１７  嵌合部
２  ボトムプレート
２０  インシュレータボトム
２１  ボトムプラテン
２２  下部コンテナ
２３  下部ビード支持リング
２４  嵌合部
３  中心機構
３０  シリンダ
３１  支持台
３２  クランプロッド
３３  流体流路
３４  ロック解除筒
３５  シリンダ
４  ブラダー
５  上部クランプリング
５０  ブラダー固定部
５１  上側軸
５２  段部
５３  係止爪
５４  スプリング
５５  スプリング
５６  クランプ溝
６  下部クランプリング
６０  ブラダー固定部
６１  下側筒軸
６２  段部
６３  段部
６４  クランプ溝
７  流体ポート
７０  チェッキ弁
Ａ  加硫機本体
Ｂ  シェーピングユニット
Ｃ  グリーンタイヤ
Ｃ１  下側ビード部
Ｃ２  上側ビード部
Ｃ３  加硫後タイヤ
【図１】
2007098801.tif 000003
【図２】
2007098801.tif 000004
【図３】
2007098801.tif 000005
【図４】
2007098801.tif 000006
【図５】
2007098801.tif 000007
【図６】
2007098801.tif 000008
【図７】
2007098801.tif 000009
【図８】
2007098801.tif 000010